(57)【要約】本発明は、インターネット上における差別化された写真映像物のサービス方法に関するもので、詳しくは、写真映像物の販売順位を定め、使用頻度の高い写真映像物の価格を逆ディカウントサービス方式により上昇して販売するとともに、写真映像物を使用する前に、使用場所、使用開始日、使用映像物の固有番号などをＥメールなどで運営者に自発的に報告するインターネット上における写真映像物のサービス方法に関するものである。
2006518888.tif 000002
【特許請求の範囲】
【請求項１】
多様な分野の写真映像物作品をインターネットホームページに提供した後、使用者がインターネットに接続して会員加入およびログインを経て写真映像物のサービス提供を受ける方法であって、
前記写真映像物をダウンロードする過程で、ホームページ運営者が所定期間の間における写真映像物の利用回数(販売順位)に基づいてイメージ別販売順位を定める段階と;
ホームページ運営者がインターネットホームページの掲示板またはお知らせ事項欄に前記販売順位を公開し、使用頻度の高いイメージの価格を逆ディカウントサービス方式により上昇する段階と;を含むことを特徴とするインターネット上における差別化された写真映像物のサービス方法。
【請求項２】
使用者は、前記写真映像物を使用する前に、使用場所、使用開始日、使用イメージの固有番号、訪問者ＩＤをＥメールなどで自発的に報告した後、前記ダウンロードした写真映像物を使用することを特徴とする請求項１記載のインターネット上における差別化された写真映像物のサービス方法。
【請求項３】
使用者が前記写真映像物をダウンロードして使用する過程で、所定期間経過後にイメージの使用頻度数などを考慮して価格を上昇し、前記上昇された価格をホームページの掲示板またはお知らせ事項欄に公開することを特徴とする請求項１記載のインターネット上における差別化された写真映像物のサービス方法。
【請求項４】
使用者が前記写真映像物に運営者が指定する商標または識別可能な記号を付着する場合、費用減免のサービスが与えられることを特徴とする請求項１記載のインターネット上における差別化された写真映像物のサービス方法。
【請求項５】
前記商標または識別可能な符号は、運営者が運営するホームページ上の写真映像物に運営者が指定する商標または識別可能な記号などをウォーターマークにより付着した後、写真映像物が不法複製であるかどうかを確認するときのみに商標または識別可能な記号などが復元されるように処理することを特徴とする請求項１記載のインターネット上における差別化された写真映像物のサービス方法。
【発明の詳細な説明】
【技術分野】
【０００１】
本発明は、インターネット上における差別化された写真映像物のサービス方法に関するもので、詳しくは、写真映像物の販売順位を定め、使用頻度の高い写真映像物の価格を逆ディカウントサービス方式(the method of anti-discount service)により上昇して販売するとともに、写真映像物を使用する前に、使用場所、使用開始日、使用映像物の固有番号などをＥメールなどで運営者に自発的に報告するインターネット上における写真映像物のサービス方法に関するものである。
【背景技術】
【０００２】
一般に、写真映像物は、ＴＶ放送ＩＤ製作用イメージやブリッジイメージ、広告製作用イメージ、ホームページコンテンツ、音楽ビデオ映像物、ＤＶＤ映像物、映画、商品包装紙、小説・雑誌・詩集などの表紙、教科書・百科事典・ポスターなどの各種の印刷物に用いられている。
【０００３】
上記のように、従来の動映像を含む写真映像物は、イメージを使用するためにライブラリー(Library)形態で賃貸するか、ＤＶＤ、ＣＤ、テープおよび印刷物の形態で製作して販売してきたが、最近は、インターネット上において、写真映像物を低廉な費用でデジタルイメージに変換して普及するようになった。
【０００４】
一方、本発明に関連した先行特許技術としては、特許登録出願第２０００-５６６４９号(特許文献１)(インターネットを用いた写真加工サービス提供システムおよび方法)、第２００１-５７４９号(特許文献２)(デジタル写真およびイメージのオンライン現像に関するシステムおよびサービス)および第２００２-４２８２０号(特許文献３)(デジタル編集に基づくオンラインフォトサービス方法およびシステム)などがあった。
【０００５】
【特許文献１】ＫＲ第２００２-２４８５８号公開公報
【特許文献２】ＫＲ第２００１-４４３２２号公開公報
【特許文献３】ＫＲ第２００２-６７０２４号公開公報
【０００６】
しかしながら、上記した従来の技術において、特定の写真映像物が所定期間に多くの分野で活用される場合、その商品の価格が上昇すべきであるが、実際は、その希少価値が低下するという理由から取引価格が低下することになる。また、消費者側にとっても、既に同種業界の他業体で多く用いられた写真映像物であると、その価格が低下することが有利である。
【０００７】
すなわち、写真映像物の芸術的価値が高くて需要が多くなると、写真映像物の価格がその分上昇すべきであるが、実際は、需要が多いことから、既に多く使用された商品であるため、その分価格が低下することになる。そのため、作家の創作意欲が低下する憂いがある。
【０００８】
また、従来の技術は、写真映像物のサービス提供時、予め使用場所、使用開始日、使用イメージの固有番号をＥメールなどで自発的に報告する必要がないため、多量の無断複製により著作権が侵害される憂いがある。
【発明の開示】
【発明が解決しようとする課題】
【０００９】
本発明のインターネット上における写真映像物のサービス方法は、上記の問題点を解消
するためになされたもので、多様な分野の作品をインターネットホームページにイメージカテゴリー別に提供しておき、有料会員のみが１日当たり所定量の写真映像物を非常に低廉な価格でダウンロードすることを目的とする。
【００１０】
また、所定期間の間の使用回数に基づくイメージの人気順位を定め、所定ランキング（等位）に含まれた写真映像物の価格を上昇する逆ディカウントサービス方式でイメージを提供することを目的とする。
【００１１】
また、使用者が、使用場所、使用開始日、使用映像物の固有番号などをＥメールなどで運営者に自発的に報告することを目的とする。
【００１２】
また、使用者が必要な写真映像物のみをインターネット上で実時間に選別することで、使用者の便利性および信頼性を大幅に向上することを目的とする。
【課題を解決するための手段】
【００１３】
上記の目的を達成するために、本発明は、多様な分野の写真映像物作品をインターネットホームページに陳列した後、使用者がインターネットに接続して会員加入およびログインを経て写真映像物のサービス提供を受ける方法であって、前記写真映像物をダウンロードする過程で、ホームページ運営者が所定期間の間における写真映像物の利用回数(販売順位)に基づいてイメージ別販売順位を定める段階と;前記販売順位をホームページ運営者がインターネットホームページの掲示板またはお知らせ事項欄に公開し、使用頻度の高いイメージの価格を逆ディカウントサービス方式により上昇調整する段階と;を含むことを特徴とするインターネット上における差別化された写真映像物のサービス方法を提供する。
【発明を実施するための最良の形態】
【００１４】
本発明のインターネット上における差別化された写真映像物のサービス方法は、図１、図２、図３乃至図８（本発明のインターネットホームページの画面ウィンドウを示した図）に基づいて説明する。
【００１５】
本発明を説明する前に、関連した公知機能または構成に対する具体的な説明が本発明の要旨を不明確にすると判断される場合、その詳細な説明を省略する。また、後述する各用語は、本発明の機能を考慮して設定された用語であるが、生産者の意図または慣例によって変更されることもあるので、明細書の全体内容に基づいて理解されるべきである。
【００１６】
まず、本発明は、多様な分野の写真映像物をインターネットホームページ２０に提供した後、使用者１０がインターネットに接続し、会員加入およびログインを経て写真映像物のサービス提供を受ける一連の過程を行う。このとき、ホームページ運営者３０は、サーバー４０により会員ＤＢおよび写真イメージＤＢなどを管理し、作家５０は、前記ホームページ運営者３０にイメージを提供する。そして、前記ホームページ運営者３０は、作家５０から提供されたイメージを管理するようになる。
【００１７】
本発明において、前記ホームページ運営者３０は、ホームページを継続的に運営および管理し、主に、写真映像物にイメージ別固有番号(例えば、ＫＲ００１ＦＬ００２ＬＴＹ、０１０４０００１など)を与える。また、前記ホームページ運営者３０は、会員募集および管理をし、イメージアップデートおよびイメージ別販売順位を表示し、さらに、会員イメージの使用従量制および写真教室の無料運営などの付加サービスと、イメージ販売順位別の逆ディカウント策定基準を予め表示する。
【００１８】
すなわち、使用者が前記写真映像物をダウンロードする過程で、ホームページ運営者３
０は、所定期間の間における写真映像物の利用回数(販売順位)に基づいてイメージ別販売順位を定めた後、前記販売順位をインターネットホームページ２０の掲示板またはお知らせ事項欄に公開し、使用頻度の高いイメージの価格を逆ディカウントサービス方式により上昇する。
【００１９】
このとき、前記写真映像物をダウンロードする過程で、イメージ使用回数が自動的に表記されるが、ホームページ運営者は、所定期間の経過後、利用回数(販売順位)に基づいてイメージ価格を上昇し、その結果をホームページの掲示板またはお知らせ事項欄に広告する。また、使用者は、前記写真映像物が使用される前に、使用場所、使用開始日、使用イメージの固有番号および訪問者ＩＤを自発的に報告する。
【００２０】
また、本発明は、運営者が指定する写真映像物の商標が使用される場合、費用減免のサービスを与えており、不法な複製を防いでデータ所有者の著作権および所有権を効率的に保護するために、全ての写真映像物にウォーターマーク(Water-mark)が提供される。
本発明の写真映像物は、停止映像、動映像、キャラクタ、漫画、ポスター、切手、アニメーション、映画などを示し、これらを印刷および保存した本やＣＤ、ＤＶＤ、テープ形態のデジタルイメージ商品までも含んでいる。
【００２１】
一方、本発明は、上記の構成部を適用するにおいて、多様に変更することができる。
また、本発明は、上記の構成および作用に限定されるものではない。
【００２２】
以下、上記のように構成された本発明のインターネット上における差別化された写真映像物のサービス方法を説明する。
【００２３】
まず、図１、図２および図３に示すように、使用者１０は、インターネットホームページ２０に接続する(Ｓ１００)。次いで、使用者１０がインターネットホームページ２０に接続すると、最初の画面ウィンドウに会員イメージの従量制および写真教室の無料運営(図４)などの付加サービス、会員加入、掲示板のお知らせ事項、作品鑑賞などが表示され(Ｓ１０１)、使用者の選択事項にしたがって次の段階に進行する。
【００２４】
次いで、図５に示すように、上記の状態で、使用者１０が写真映像物を見るために、会員加入(Ｓ１０２)およびログイン(Ｓ１０３)を行うと、図６に示すように、イメージ倉庫訪問(Ｓ１０４)の画面ウィンドウが表示される。
【００２５】
前記イメージ倉庫訪問(Ｓ１０４)には、多様な種類のイメージ(Ｓ１０５)(例えば、昆虫、果物、雲、花、木、都市、動物、マジックアワー、水、花火遊び、ビルディング、生活、太陽、チューリップ、空、その他)が表示される。ここで、使用者が所望のカテゴリー別イメージを選別してサーチ(Ｓ１０６)すると、図７に示すように、小さな画面にイメージが見えるが、該当する各イメージをダブルクリックして選択(Ｓ１０７)すると、図８のような大きなイメージになる。このとき、前記大きなイメージの下端には、イメージ別固有番号、題目、販売価格、推薦用途およびイメージに対する詳細な説明が記載されている。
【００２６】
上記した状態で、使用者が所望のイメージをダウンロード(Ｓ１０８)(例えば、コンピュータプログラムの製作時、１日の最大数量を５枚までに指定できる)する。このとき、前記イメージをダウンロードする時ごとに、イメージの下端に実時間イメージ使用回数および価格が自動的に表示(Ｓ１０９)されるとともに、前記掲示板またはお知らせ事項欄(Ｓ１０１)にも写真イメージＤＢにより前記イメージ使用回数および価格が表示されるため、使用者１０は、その結果をインターネットホームページ２０の掲示板またはお知らせ事項欄で確認することができる。
【００２７】
本発明は、上記したように、所定期間(例えば、３ケ月または６ケ月)の間の使用回数に基づくイメージの人気順位を定め、所定ランキング(１等〜５等)に含まれたイメージの価格を上昇(例えば、市場状況によってイメージ販売価格を５〜１５％に引き上げる)する逆ディカウントサービス方式を採用し、このような一連の状況および結果は、使用者がインターネットホームページを訪問したとき、運営者が運営するインターネットホームページ２０の初期画面の'お知らせ事項'や'掲示板'に所定期間の間表示することで、その効力を発揮するようになる。
【００２８】
次いで、使用者がダウンロードした写真イメージは、使用場所、使用開始日、使用イメージの固有番号および訪問者ＩＤなどを記載した後、ホームページ運営者にＥメールなどで自発的に報告すべきである(Ｓ１１０)。このとき、使用者が前記内容を自発的に報告しないと、会員の資格を自動的に喪失し、今後２年間、インターネットホームページ２０への会員加入が不可能になり、自発的な報告なしに用いられたイメージ(写真映像物)は、不法使用と見なす。また、イメージの使用期間を１年間とし、使用期間の満了後に使用期間を延長する場合は、再び会員加入をする。
【００２９】
使用者が運営者に自発的に報告(Ｓ１１０)した後、使用者は、イメージを活用(Ｓ１１３)するようになるが、このイメージを活用(Ｓ１１３)する前に、イメージに運営者が指定した商標を付着し、識別可能な商標のイメージを使用する会員には、使用金額を減免(例えば、５０％)する(Ｓ１１１)。特に、本発明の運営者が運営するホームページ上の写真映像物には、運営者が指定する商標または識別可能な記号などをウォーターマークにより付着した後、イメージが不法複製であるかどうかを確認するときのみに、商標または識別可能な記号などが復元されるように処理することで、著作権および所有権を効率的に保護することができる。
【００３０】
また、本発明は、前記イメージを活用(Ｓ１１３)する前に、イメージ別活用順位整理(
例えば、自動順位処理機能)を行う運営者チェック事項(Ｓ１１２)を経ることになる。
【産業上の利用可能性】
【００３１】
以上説明したように、本発明は、多様な分野の作品(写真映像物)をインターネットホームページにイメージカテゴリー別に提供しておき、有料会員のみが１日当たり所定量の写真を非常に低廉な価格でダウンロードすることで、所定期間の間の使用回数に基づくイメージの人気順位を定め、所定ランキングに含まれたイメージの価格を上昇する逆ディカウントサービス方式を提供するものであり、使用者が映像物を使用する前に、使用場所、使用開始日、使用映像物の固有番号などをＥメールなどで自発的に報告することで、使用者が所望のイメージをインターネット上で実時間に選別して購入し、使用者の便利性および信頼性を大幅に向上することができる。
【００３２】
また、本発明は、消費者中心のサービスに基づいて、使用者がデジタルイメージ商品の必要なイメージのみを選択し、インターネット上で実時間に購入することで、従来において、２〜３枚のイメージを使用するために、使用者が不要な数百カットのイメージを全て購入すべきであったという問題点、かつ、所定期間が経過した後、使用者が多くのイメージＣＤやディスケット、ＤＶＤを用いたイメージを別途に保管すべきであったという問題点を解消することができる。よって、本発明によると、資源、人材および費用の浪費を減少することができる。
【図面の簡単な説明】
【００３３】
【図１】本発明のインターネット上における差別化された写真映像物のサービス方法を示した説明図である。
【図２】本発明のインターネット上における差別化された写真映像物のサービス方法を示したフローチャートである。
【図３】図３は、インターネットホームページの最初の画面を示した画面ウィンドウの図面代用写真である。
【図４】図４は、インターネットホームページの写真撮影技法を示した画面ウィンドウの図面代用写真である。
【図５】図５は、インターネットホームページのログイン画面ウィンドウの図面代用写真である。
【図６】図６は、インターネットホームページのイメージ倉庫訪問画面ウィンドウの図面代用写真である。
【図７】図７は、インターネットホームページのイメージ選別およびサーチを示した画面ウィンドウの図面代用写真である。
【図８】図８は、インターネットホームページのイメージ選択を示した画面ウィンドウの図面代用写真である。
【図１】
2006518888.tif 000003
【図２】
2006518888.tif 000004
【図３】
2006518888.tif 000005
【図４】
2006518888.tif 000006
【図５】
2006518888.tif 000007
【図６】
2006518888.tif 000008
【図７】
2006518888.tif 000009
【図８】
2006518888.tif 000010
【国際調査報告】
2006518888.tif 000011